(57)【要約】リングバック・トーン・サービス加入者への呼び出し時に通信デバイスのユーザに対して再生されるリングバック・トーンをリングバック・トーン・サービス加入者、またはリングバック・トーン・サービス加入者の代理人が選択するのを援助するために、通信デバイスのユーザによって入力されたリングバック・トーン好み情報がリングバック・トーン・サービス加入者またはその代理人に提示される。
2009516425.tif 000002
【特許請求の範囲】
【請求項１】
リングバック・トーン・サービス加入者への呼び出し時に通信デバイスのユーザに対して再生されるリングバック・トーンを前記リングバック・トーン・サービス加入者または前記リングバック・トーン・サービス加入者の代理人が選択するのを援助するために、前記通信デバイスの前記ユーザによって入力されたリングバック・トーン好み情報を前記リングバック・トーン・サービス加入者または前記代理人に提示するステップ
を含む方法。
【請求項２】
前記リングバック・トーン好み情報が前記通信デバイスの前記ユーザが発呼のリンギング・フェーズ中に受信したい１つ以上のリングバック・トーンのジャンルを示し、
また、前記リングバック・トーン好み情報が前記通信デバイスの前記ユーザが前記リンギング・フェーズ中に受信したい前記１つ以上のリングバック・トーンのジャンル内の１つ以上の例または例外も示す、
請求項１に記載の方法。
【請求項３】
前記リングバック・トーン好み情報が前記通信デバイスの前記ユーザが発呼のリンギング・フェーズ中に受信したくない１つ以上のリングバック・トーンのジャンルを示し、
また、前記リングバック・トーン好み情報が前記通信デバイスの前記ユーザが前記リンギング・フェーズ中に受信したくない前記１つ以上のリングバック・トーンのジャンル内の１つ以上の例または例外も示す、
請求項１に記載の方法。
【請求項４】
前記リングバック・トーン好み情報を提示するステップは、前記リングバック・トーン好み情報を可聴形式または表示形式で前記リングバック・トーン・サービス加入者に提供するステップを含む、
請求項１に記載の方法。
【請求項５】
前記リングバック・トーン・サービス加入者が前記通信デバイスの前記ユーザのためにリングバック・トーン選択を行っている旨の表示を受信するステップと、
前記通信デバイスの前記ユーザに関連付けられた前記リングバック・トーン好み情報を取り出すためにリングバック・トーン好みデータベースにアクセスするステップと
をさらに含む、請求項１に記載の方法。
【請求項６】
前記リングバック・トーン・サービス加入者が前記通信デバイスの前記ユーザのためにリングバック・トーン選択を行っている旨の表示の受信時に、前記通信デバイスの前記ユーザに関連付けられたリングバック・トーン好み情報にアクセスするステップをさらに含み、
前記リングバック・トーン好み情報を提示するステップは、
前記リングバック・トーン・サービス加入者に関連付けられた通信デバイスに、または前記リングバック・トーン・サービス加入者が見ることができるウェブサイトに表示するために前記リングバック・トーン好み情報を前記リングバック・トーン・サービス加入者に送信するステップを含む、
請求項１に記載の方法。
【請求項７】
リングバック・トーン選択プロファイルに前記通信デバイスの前記ユーザ用のエントリを作成するために前記リングバック・トーン・サービス加入者とインターフェース接続するステップと、
前記リングバック・トーン選択プロファイル内の前記エントリ用に前記リングバック・トーン・サービス加入者によって入力された前記通信デバイスの前記ユーザの識別子を受信するステップと、
リングバック・トーン好みデータベースの中で前記通信デバイスの前記ユーザに関連付けられた前記リングバック・トーン好み情報を探索するために前記識別子を使用するステップと
をさらに含み、
前記リングバック・トーン好み情報を提示するステップは、
前記リングバック・トーン好み情報が前記リングバック・トーン好みデータベースの中にある場合、前記リングバック・トーン好み情報を前記リングバック・トーン・サービス加入者に送信するステップを含み、
前記リングバック・トーン・サービス加入者からリングバック・トーン選択を受信するステップと、
前記リングバック・トーン・サービス加入者への呼び出し時に前記発呼通信デバイスの前記ユーザに対して前記リングバック・トーンが再生されるように、前記リングバック・トーン選択プロファイル内の前記通信デバイスの前記ユーザ用の前記エントリに前記リングバック・トーン選択を追加するステップと
をさらに含む、請求項１に記載の方法。
【請求項８】
前記リングバック・トーン好み情報を受信するために前記通信デバイスの前記ユーザにインターフェース接続するステップと、
前記通信デバイスの前記ユーザのためにリングバック・トーン選択を行う意図を示したリングバック・トーン・サービス加入者に後で提示できるように前記リングバック・トーン好み情報を記憶するステップと
をさらに含む、請求項１に記載の方法。
【請求項９】
前記通信デバイスの前記ユーザに関連付けられた前記リングバック・トーン好み情報にアクセスするステップと、
前記リングバック・トーン好み情報に示された前記通信デバイスの前記ユーザの「好き」または「嫌い」に基づいて１つ以上の提案されたリングバック・トーンを特定するステップと、
前記リングバック・トーン・サービス加入者への呼び出し時に前記通信デバイスの前記ユーザに対して再生されるリングバック・トーンをリングバック・トーン・サービス加入者が選択するのを援助するために、前記リングバック・トーン好み情報とともに、１つ以上の提案されたリングバック・トーンの表示をリングバック・トーン・サービス加入者に提示するステップと
をさらに含む、請求項１に記載の方法。
【請求項１０】
リングバック・トーンは音響コンテンツ、映像コンテンツ、画像コンテンツ、またはテキスト・コンテンツを有し、
前記通信デバイスの前記ユーザによって入力された前記リングバック・トーン好み情報が音響コンテンツ、映像コンテンツ、画像コンテンツ、またはテキスト・コンテンツのうちの１つ以上に関する
請求項１に記載の方法。
【発明の詳細な説明】
【技術分野】
【０００１】
本発明は、概して通信に関し、より詳細にはリングバック・トーン・サービスに関する。
【背景技術】
【０００２】
既知のリングバック・トーン・サービスは、発呼者に対して再生されるリングバック・トーンを着呼者が事前に選択できるようになっている。従来、発呼者は、着呼者が呼に応答する前、標準のリングバック・コンテンツを受信していた。リングバック・トーン・サービスは、その標準のリングバック・コンテンツを、着呼者によって選択されたリングバック・トーンに置き換える。例えば、リングバック・トーン・サービスは、着呼者への呼のリンギング・フェーズ中に発呼者が受信するリングバック・コンテンツを着呼者がカスタマイズできるようにしている。発呼者は、着呼者が呼に応答するのを待っている間、着呼者によって事前に選択されたリングバック・トーンを受信する。
【０００３】
着呼者は、一例では、リングバック・トーン・サービス加入者であり、リングバック・トーンの選択を制御する。援助がなければ、リングバック・トーン・サービス加入者は、発呼者が受信したくないリングバック・トーンを選択する可能性がある。１つの欠点として、リングバック・トーン・サービス加入者が別のリングバック・トーンを選択するまで、発呼者は、そのリングバック・トーン・サービス加入者へのそれ以降の呼で、その嫌いなリングバック・トーンを受信し続けるだろう。別の欠点として、リングバック・トーン・サービス加入者は、結局は発呼者に嫌われることになったリングバック・トーンを選択したことに対して料金を徴収されただろう。さらに別の欠点として、嫌われたリングバック・トーンは、適切な方法の表現としての役を果たせないだろう。したがって、嫌われたリングバック・トーンは、リングバック・トーンの選択という意図した目的を達せられないだろう。
【０００４】
発呼者がそのリングバック・トーンを嫌いな場合、発呼者は、リングバック・トーンが変更されるように試みることができる。例えば、発呼者は、リングバック・トーン・サービス加入者に連絡して、現在選択されているリングバック・トーンは嫌いだから、別のリングバック・トーンが望ましいことを伝えることができる。１つの欠点として、リングバック・トーン・サービス加入者に連絡してリングバック・トーン選択の変更を依頼することは、発呼者およびリングバック・トーン・サービス加入者両方にとって不便であろう。別の欠点として、リングバック・トーン・サービス加入者がそのような要求に常に応じてくれるとは限らない。例えば、リングバック・トーン・サービス加入者は、依頼された変更を行うことを忘れることがあるだろう。
【発明の開示】
【発明が解決しようとする課題】
【０００５】
したがって、発呼者のリングバック・トーンの好みに合う発呼者向けリングバック・トーンをリングバック・トーン・サービス加入者またはリングバック・トーン・サービス加入者の代理人が選択するのを援助するリングバック・トーン・サービスの必要性が存在する。
【課題を解決するための手段】
【０００６】
リングバック・トーン・サービスは、着呼者への呼のリンギング・フェーズ中に発呼者が受信するリングバック・コンテンツのカスタマイズを可能にしている。リングバック・トーン・サービスは、発呼者が通常受信する標準のリングバック・コンテンツを、カスタマイズされたリングバック・トーンに置き換える。着呼者は、一例では、リングバック・トーン・サービス加入者であり、リングバック・トーンの選択を制御する。発呼者に対して再生されるリングバック・トーンをリングバック・トーン・サービス加入者またはリングバック・トーン・サービス加入者の代理人が選択するのを援助するために、リングバック・トーン・サービスは、その発呼者用のリングバック・トーン好み情報をリングバック・トーン・サービス加入者または代理人に提示する。
【０００７】
実施形態の１つにおいて、リングバック・トーン・サービス加入者への呼び出し時に通信デバイスのユーザに対して再生されるリングバック・トーンをリングバック・トーン・サービス加入者またはリングバック・トーン・サービス加入者の代理人が選択するのを援助するために、その通信デバイスのユーザによって入力されたリングバック・トーン好み情報をリングバック・トーン・サービス加入者または代理人に提示する方法が提供される。
【０００８】
別の実施形態において、通信デバイスのユーザからリングバック・トーン好み情報を受信し、リングバック・トーン・サービス加入者への呼び出し時に、その通信デバイスのユーザに対して再生されるリングバック・トーンを選択する意思を示したリングバック・トーン・サービス加入者に後で提示できるようにそのリングバック・トーン好み情報を記憶する方法が提供される。
【０００９】
さらに別の実施形態において、１つ以上のコンピュータ可読信号伝達媒体を含む物品が提供される。この物品は、リングバック・トーン・サービス加入者への呼び出し時に通信デバイスのユーザに対して再生されるリングバック・トーンをリングバック・トーン・サービス加入者またはリングバック・トーン・サービス加入者の代理人が選択するのを援助するために、その通信デバイスのユーザによって入力されたリングバック・トーン好み情報をリングバック・トーン・サービス加入者または代理人に提示する、その１つ以上の媒体に記憶されている手段を含む。
【発明を実施するための最良の形態】
【００１０】
本発明の例示的な実施態様が説明、特許請求の範囲、および添付の図面から明らかになろう。
【００１１】
図１に移ると、装置１００は、無線および／または有線通信システム用のリングバック・トーン・サービスを提供している。リングバック・トーン・サービスは、一例では、発呼者が通常受信する標準のリングバック・コンテンツを、リングバック・トーン・サービス加入者によって選択されたリングバック・トーンに置き換える。リングバック・トーンは、音響コンテンツ、映像コンテンツ、画像コンテンツ、またはテキスト・コンテンツを有することができる。援助がなければ、リングバック・トーン・サービス加入者は、発呼者が受信したくないリングバック・トーンを選択する可能性がある。発呼者に対して再生されるリングバック・トーンをリングバック・トーン・サービス加入者が選択するのを援助するために、リングバック・トーン・サービスは、一例では、その発呼者用のリングバック・トーン好み情報をリングバック・トーン・サービス加入者またはリングバック・トーン・サービス加入者の代理人に提示する。リングバック・トーン好み情報は、音響コンテンツ、映像コンテンツ、画像コンテンツ、またはテキスト・コンテンツの１つ以上に関する。したがって、リングバック・トーン・サービス加入者または代理人は、そのリングバック・トーン好み情報を使用して、発呼者のリングバック・トーンの好みに合うリングバック・トーンを選択することができる。
【００１２】
装置１００は、実施形態の１つでは、１つ以上のインテリジェント・ネットワーク（「ＩＮ」）プラットフォーム１０２、１つ以上の管理プラットフォーム１０４、１つ以上のリングバック・トーン好みデータベース１０６、１つ以上のアクセス・インターフェース１０８、１つ以上のプロビジョニング・インターフェース１１０、１つ以上の移動電話交換センタ（「ＭＳＣ」）１１２および１１４、および１つ以上のサービス切り替え点（「ＳＳＰ」）１１６を備える。ＭＳＣ  １１２および１１４は、一例では、発呼者１１８および着呼者１２４などの無線通信デバイスをサポートする。ＳＳＰ  １１６は、一例では、発呼者１２２および着呼者１２４などの有線通信デバイスをサポートする。
【００１３】
インテリジェント・ネットワーク・プラットフォーム１０２は、一例では、サービス制御点（「ＳＣＰ」）１２６およびリングバック・トーン・サーバ１２８を備える。ＳＣＰ  １２６およびリングバック・トーン・サーバ１２８は、結合して単一のインテリジェント・ネットワーク・プラットフォームにしてもよいし、または複数のインテリジェント・ネットワーク・プラットフォームに分割してもよい。ＳＣＰ  １２６は、リングバック・トーン・サーバ１２８によって提供されるリングバック・トーン・サービスのためのリングバック・トーン呼び出しコントローラとして機能する。
【００１４】
信号ネットワーク１３４は、通信により、ＳＣＰ  １２６、リングバック・トーン・サーバ１２８、ＭＳＣ  １１２および１１４、およびＳＳＰ  １１６を結合する。信号ネットワーク１３４は、一例では、信号トラフィックをサポートする信号方式７（「ＳＳ７」）ネットワークを備える。伝達ネットワーク１３６は、通信により、リングバック・トーン・サーバ１２８、ＭＳＣ  １１２および１１４、およびＳＳＰ  １１６を結合する。伝達ネットワークは、一例では、伝達トラフィックをサポートする公衆交換電話網（「ＰＳＴＮ」）を備える。
【００１５】
ＳＣＰ  １２６およびリングバック・トーン・サーバ１２８は、呼を経路指定し、発呼者（例えば、発呼者１１８または１２２）から着呼者（例えば、着呼者１２０または１２４）への呼び出し時に発呼者に対してリングバック・トーンを再生するように働く。例えば、ＳＣＰ  １２６およびリングバック・トーン・サーバ１２８は、リングバック・トーン・サービスを提供するように働く。ＳＣＰ  １２６は、一例では、リングバック・トーン・サーバ１２８に対して、リングバック・トーン・サーバ１２８の機能を制御するようにという命令を出す。例えば、ＳＣＰ  １２６は、リングバック・トーン・サーバ１２８に対して、リングバック・トーン・サーバ１２８が発呼者１１８または１２２にリングバック・トーンを再生するように指示するメッセージを送信する。着呼がリングバック・トーン・サービスを必要とする場合、ＳＣＰ  １２６は、その着呼をリングバック・トーン・サーバ１２８に送信し、リングバック・トーン・サーバ１２８が発呼者１１８に対して専用のリングバック・トーンを再生する。着呼がリングバック・トーン・サービスを必要としない場合、ＳＣＰ  １２６は、一例では、ＭＳＣ  １１２に、発呼者１１２に標準のリングバック・コンテンツを提供するように指示する。
【００１６】
ＳＣＰ  １２６およびリングバック・トーン・サーバ１２８は、伝送制御プロトコル／インターネット・プロトコル（「ＴＣＰ／ＩＰ」）接続、Ｌｉｇｈｔｗｅｉｇｈｔ  Ｄｉｒｅｃｔｏｒｙ  Ａｃｃｅｓｓ  Ｐｒｏｔｏｃｏｌ（軽量なディレクトリ・アクセス・プロトコル）（「ＬＤＡＰ」）接続、拡張マークアップ言語（「ＸＭＬ」）接続などの交換、管理、保守およびプロビジョニング（「ＯＡＭ＆Ｐ」）インターフェースを介して管理プラットフォーム１０４に接続される。リングバック・トーン・システムは、一例では、管理プラットフォーム１０４を使用してリングバック・トーン・サービス加入者にインターフェース接続する。管理プラットフォーム１０４は、本明細書で説明されているように、記録可能データ記憶媒体１５０のインスタンスを備える。
【００１７】
管理プラットフォーム１０４は、一例では、サービス管理システム１３０およびアップストリーム・インターフェース１３２を備える。サービス管理システム１３０は、プロビジョニング・システムを備える。サービス管理システム１３０は、一例では、加入者プロビジョニング、加入者プロファイル更新、コンテンツ提供者とのインターフェース接続、リングバック・トーン・サーバへのリングバック・トーン配布などを扱う。サービス管理システム１３０は、ＳＣＰ  １２６およびリングバック・トーン・サーバ１２８とのＯＡＭ＆Ｐインターフェースを備える。アップストリーム・インターフェース１３２は、リングバック・トーン好みデータベース１０６およびプロビジョニング・インターフェース１１０とのＯＡＭ＆Ｐインターフェースを備える。
【００１８】
リングバック・トーン好みデータベース１０６は、通信デバイスのユーザによって入力されたリングバック・トーン好み情報を記憶する。リングバック・トーン好み情報は、一例では、通信デバイスのユーザのリングバック・トーン・コンテンツの好き嫌いを示す。リングバック・トーン好みデータベース１０６の物理的な実施態様は、サービス提供者ネットワーク内の既存のデータベースの一部、サービス提供者ネットワーク内の新規データベース、別のサービス提供者のネットワークに属するデータベース、業界全体のデータベース、サービス提供者のグループによって共用されるデータベースなど、様々な形式をとることができる。リングバック・トーン好みデータベース１０６は、ＬＤＡＰ、ＸＭＬ、Ｏｐｅｎ  ＤａｔａＢａｓｅ  Ｃｏｎｎｅｃｔｉｖｉｔｙ（オープン・データベース接続）（「ＯＤＢＣ」）、構造化照会言語（「ＳＱＬ」）などのメッセージ・プロトコルを介してリングバック・トーン・サービスと通信する。リングバック・トーン好みデータベース１０６が分散データベースを備えている場合、Ｅｌｅｃｔｒｏｎｉｃ  ＮＵＭｂｅｒｉｎｇ（電子番号方式）（ＥＮＵＭ）またはＤｉｓｔｒｉｂｕｔｅｄ  Ｕｎｉｖｅｒｓａｌ  Ｎｕｍｂｅｒ  Ｄｉｓｃｏｖｅｒｙ（分散型ユニバーサル番号発見）（「ＤＵＮＤｉ」）などの発見メカニズムを使用して、リングバック・トーン好み情報を探す出すことができる。
【００１９】
アクセス・インターフェース１０８は、リングバック・トーン好み情報を入力するための、ユーザ（例えば、発呼者）とリングバック・トーン好みデータベース１０６との間のメカニズムを提供する。プロビジョニング・インターフェース１１０は、他のユーザ用のリングバック・トーン好み情報をリングバック・トーン・サービス加入者に提示するための、アップストリーム・インターフェース１３２を介したリングバック・トーン・サービス加入者とリングバック・トーン好みデータベース１０６との間の接続を提供する。アクセス・インターフェース１０８およびプロビジョニング・インターフェース１１０は、ウェブサイト・インターフェース、無線アプリケーション・プロトコル（「ＷＡＰ」）インターフェース、音声自動応答（「ＩＶＲ」）インターフェース、ショート・メッセージ・サービス（「ＳＭＳ」）インターフェースなどを備える。
【００２０】
一例では、リングバック・トーン・サービス加入者は、着呼者１２０などの無線通信デバイスを有している。無線リングバック・トーン・サービス加入者１２０は、その無線リングバック・トーン・サービス加入者１２０を呼び出す無線および有線通信デバイス（例えば、発呼者１１８および発呼者１２２）に対してリングバック・トーン・サービスが再生する専用のリングバック・トーンを選択することができる。ＭＳＣ  １１２で無線リングバック・トーン・サービス加入者１２０に対する着呼が受信されると、ＭＳＣ  １１２は、その着呼に関連した信号をＳＣＰ１２６に送信する。ＭＳＣ  １１２および１１４は、移動通信デバイス、例えば、発呼者１１８および無線リングバック・トーン・サービス加入者１２０をサポートする。ＭＳＣ  １１２および１１４は、一例では、無線リングバック・トーン・サービス加入者１２０のための発信側移動電話交換センタ（「Ｏ−ＭＳＣ」）１１２および無線リングバック・トーン・サービス加入者１２０のためのサービス提供移動電話交換センタ（「Ｓ−ＭＳＣ」）を備える。例えば、Ｏ−ＭＳＣ  １１２は、無線リングバック・トーン・サービス加入者１２０のホーム・エリアをサポートし、Ｓ−ＭＳＣ  １１４は、無線リングバック・トーン・サービス加入者１２０が移動エリアに移動した場合に、無線リングバック・トーン・サービス加入者１２０をサポートする。無線リングバック・トーン・サービス加入者１２０が、Ｏ−ＭＳＣ  １１２によってサポートされるホーム・エリア内にある場合、Ｓ−ＭＳＣ  １１４は、発呼者１１８と無線リングバック・トーン・サービス加入者１２０との間の呼パス内に存在しなくてよい。例えば、Ｏ−ＭＳＣ  １１２が無線リングバック・トーン・サービス加入者１２０のためのＳ−ＭＳＣとしても機能するだろう。発呼者１１８は、一例では、無線リングバック・トーン・サービス加入者１１２のＯ−ＭＳＣ  １１２によってサポートされる（図１に示されているとおり）。発呼者１１８は、別の例では、別のＭＳＣによってサポートされ（図示せず）、発呼者１１８から無線リングバック・トーン・サービス加入者１２０への呼は、発呼者１１８からその別のＭＳＣへ、次いで伝達ネットワーク１３６を経て無線リングバック・トーン・サービス加入者１２０のＯ−ＭＳＣ  １１２に渡され、その呼のために無線リングバック・トーン・サービス加入者１２０が探される。
【００２１】
別の例では、リングバック・トーン・サービス加入者は、着呼者１２４などの有線通信デバイスを有する。有線リングバック・トーン・サービス加入者１２４は、その有線リングバック・トーン・サービス加入者１２４を呼び出す無線および有線通信デバイス（例えば、発呼者１１８および発呼者１２２）に対してリングバック・トーン・サービスが再生する専用のリングバック・トーンを選択することができる。ＳＳＰ  １１６で有線リングバック・トーン・サービス加入者１２４に対する着呼が受信されると、ＳＣＰ  １２６は、その着呼に関連した信号をＳＳＰ  １１６から受信する。ＳＳＰ  １１６は、有線通信デバイス、例えば、発呼者１２２および有線リングバック・トーン・サービス加入者１２４をサポートする。ＳＳＰ  １１６は、有線リングバック・トーン・サービス加入者１２４のためのサービス切り替え点である。発呼者１２２は、一例では、有線リングバック・トーン・サービス加入者１２４のＳＳＰによってサポートされる（図１に示されているとおり）。発呼者１２２は、別の例では、別のＳＳＰによってサポートされ（図示せず）、発呼者１２２から有線リングバック・トーン・サービス加入者１２４への呼は、発呼者１２２からその別のＳＳＰへ、次いで伝達ネットワーク１３６を経て有線リングバック・トーン・サービス加入者１２４のＳＳＰ  １１６に渡される。  
【００２２】
図２を参照すると、リングバック・トーン・サービスは、一例では、リングバック・トーン・サービス加入者（例えば、着呼者１２０または１２４）のためにリングバック・トーン選択プロファイル２０２を維持する。リングバック・トーン選択プロファイル２０２は、リングバック・トーン・サービス加入者のリングバック・トーン選択を記憶する。例えば、リングバック・トーン選択プロファイル２０２は、発呼者３１２−１１１−１１１１用のエントリおよび発呼者３１２−２２２−２２２２用のエントリを有する。このリングバック・トーン・サービス加入者は発呼者３１２−１１１−１１１１用にリングバック・トーン＃１を選択し、発呼者３１２−２２２−２２２２用にリングバック・トーン＃２を選択した。
【００２３】
発呼者がこのリングバック・トーン・サービス加入者を呼び出すと、リングバック・トーン・サービスは、リングバック・トーン選択プロファイル２０２にアクセスして、この発呼者の識別子と一致するエントリがあるかを判定する。この識別子は、電話番号、統一資源識別子（「ＵＲＩ」）などを含むことができる。リングバック・トーン選択プロファイル２０２がその発呼者用のエントリを有していない場合、一例では、その発呼者にはデフォルトのリングバック・トーンが提供される。リングバック・トーン選択プロファイル２０２がその発呼者用のエントリを有している場合、そのリングバック・トーン・サービス加入者によって行われたリングバック・トーン選択がその発呼者に提供される。例えば、発呼者３１２−１１１−１１１１がこのリングバック・トーン・サービス加入者を呼び出した場合、リングバック・トーン・サービスは発呼者３１２−１１１−１１１１にリングバック・トーン＃１を提供する。発呼者３１２−２２２−２２２２がこのリングバック・トーン・サービス加入者を呼び出した場合、リングバック・トーン・サービスは発呼者３１２−２２２−２２２２にリングバック・トーン＃２を提供する。
【００２４】
リングバック・トーン選択プロファイル２０２は、発呼者３１２−５５５−５５５５用のエントリも有する。図２に示されているように、このリングバック・トーン・サービス加入者は、いずれ発呼者３１２−５５５−５５５５用のリングバック・トーン選択を行わなければならない。リングバック・トーン加入者がこの発呼者の識別子（例えば、電話番号３１２−５５５−５５５５、ＵＲＩなど）を入力した後でリングバック・トーン・サービス加入者がリングバック・トーン選択を行う前、リングバック・トーン・サービスは、以下で説明しているように、発呼者３１２−５５５−５５５５が、リングバック・トーン・サービス加入者またはリングバック・トーン・サービス加入者の代理人に提示されるリングバック・トーン好み情報を入力済みであるかを検査する。
【００２５】
図３を参照すると、リングバック・トーン・サービスは、一例では、通信デバイス（例えば、発呼者３１２−５５５−５５５５）のユーザのためにリングバック・トーン好みプロファイル３０２を維持する。リングバック・トーン好みプロファイル３０２は、リングバック・トーン・サービス加入者が発呼者３１２−５５５−５５５５用にリングバック・トーンをプロビジョニングしている過程で、リングバック・トーン・サービス加入者によって調べられることができる。リングバック・トーン好みプロファイル３０２は、一例では、リングバック・トーン好みデータベース１０６（図１）に記憶される。リングバック・トーン好みプロファイル３０２は、ユーザによって入力されたリングバック・トーン好み情報を、リングバック・トーン・サービス加入者（例えば、着呼者１２０または１２４）に提示できるように記憶する。一例では、発呼者３１２−５５５−５５５５によって入力されたリングバック・トーン好み情報は、発呼者３１２−５５５−５５５５のリングバック・トーンの好みに合うリングバック・トーンをリングバック・トーン・サービス加入者が発呼者３１２−５５５−５５５５用に選択するのを援助するためにリングバック・トーン・サービス加入者に提示される。別の例では、発呼者３１２−５５５−５５５５によって入力されたリングバック・トーン好み情報は、リングバック・トーン・サービス加入者の代理人に提示される。提示は、一例では、リングバック・トーン・サービス加入者または代理人が見ることができる、または聞くことができる任意の形式であってよい。
【００２６】
リングバック・トーン好み情報は、一例では、発呼者３１２−５５５−５５５５が発呼のリンギング・フェーズ中に受信したい１つ以上のリングバック・トーンのジャンルを示す。リングバック・トーン好みプロファイル３０２は、発呼者３１２−５５５−５５５５が好むリングバック・トーンのタイプを示す１つ以上のエントリを有する。例えば、リングバック・トーン好みプロファイル３０２は、ロックおよび環境（ａｍｂｉｅｎｃｅ）のジャンルのリングバック・トーンに対して「好き」エントリを有する。発呼者３１２−５５５−５５５５がすべてのリングバック・トーンに対して「嫌い」を示したい場合、発呼者３１２−５５５−５５５５は「好き」エントリに「なし」と入力することができる。
【００２７】
リングバック・トーン好み情報は、別の例では、通信デバイスのユーザが発呼のリンギング・フェーズ中に受信したくない１つ以上のリングバック・トーンのジャンルを示す。リングバック・トーン好みプロファイル３０２は、発呼者３１２−５５５−５５５５が嫌いなリングバック・トーンのタイプを示す１つ以上のエントリを有する。例えば、リングバック・トーン好みプロファイル３０２は、ラップおよびディスコのジャンルのリングバック・トーンに対して「嫌い」エントリを有する。発呼者３１２−５５５−５５５５がすべてのリングバック・トーンに対して「嫌い」を示したい場合、発呼者３１２−５５５−５５５５は「嫌い」エントリに「全部」と入力することができる。
【００２８】
リングバック・トーン好みプロファイル３０２内のリングバック・トーン好み情報はまた、一例では、好きな、または嫌いなリングバック・トーンのジャンル内の１つ以上の例または例外を示す。例または例外は、特定のアーティスト、アルバム、歌、またはサウンドを特定することができる。例は、リングバック・トーン・サービス加入者に、好きな、または嫌いなリングバック・トーンのジャンルに分類されるリングバック・トーンのタイプに関してさらに情報を提供する。例えば、発呼者３１２−５５５−５５５５は、「好き」エントリにリストされるロック・ジャンルの例としてアーティスト＃１および歌＃１をリストする。発呼者３１２−５５５−５５５５は、また、「嫌い」エントリにリストされるラップ・ジャンルの例としてアーティスト＃４をリストする。好きなリングバック・トーン・ジャンルへの例外は、好きなリングバック・トーン・ジャンルに分類できるが、発呼者３１２−５５５−５５５５が嫌いなリングバック・トーンを特定する。嫌いなリングバック・トーン・ジャンルへの例外は、嫌いなリングバック・トーン・ジャンルに分類できるが、発呼者３１２−５５５−５５５５が好きなリングバック・トーンを特定する。例えば、発呼者３１２−５５５−５５５５は、「好き」エントリにリストされたロック・ジャンルへの例外としてアーティスト＃２をリストする。したがって、アーティスト＃２は一般的にはロック・ジャンルに分類されるが、発呼者３１２−５５５−５５５５は、アーティスト＃２によるリングバック・トーンの受信は嫌いである。発呼者３１２−５５５−５５５５は、また、「嫌い」エントリにリストされたラップ・ジャンルへの例外としてアーティスト＃５をリストする。したがって、アーティスト＃５は一般的にはラップ・ジャンルに分類されるが、発呼者３１２−５５５−５５５５は、アーティスト＃５によるリングバック・トーンの受信は好きである。
【００２９】
図１および図４を参照すると、装置１００の動作の１つの例の説明が、説明の目的で示されている。メッセージ・フロー４０２は、通信デバイス（例えば、発呼者３１２−５５５−５５５５）のユーザとそのユーザがリングバック・トーン好み情報を入力するためのリングバック・トーン好みデータベース１０６との間の接続の例を表している。このユーザは、一例では、リングバック・トーン好み情報を入力するためにリングバック・トーン・サービス加入者である必要はない。ロジック４０２は、１つ以上のステップ、例えば、ステップ４０４、４０６、４０８、４１０、および４１２を使用する。
【００３０】
ステップ４０４において、ユーザが、リングバック・トーン好み情報をリングバック・トーン好みデータベース１０６に入力するためにアクセス・インターフェース１０８に接続する。例えば、アクセス・インターフェース１０８は、ユーザがリングバック・トーン好み情報を入力するウェブサイト・インターフェースを備えることができる。アクセス・インターフェース１０８に接続後、ステップ４０４はステップ４０６に進む。
【００３１】
ステップ４０６において、ユーザが、音楽ジャンル、テキスト情報、映像タイプまたは画像タイプなどのリングバック・コンテンツに対して「好き」および／または「嫌い」を入力する。例えば、リングバック・トーン好みプロファイル３０２（図３）に示されているように、ユーザは、ロックおよび環境リングバック・トーン・ジャンルは一般的には好きであるが、ラップおよびディスコ・リングバック・トーン・ジャンルは一般的には嫌いであることを入力する。ユーザは、また、テキスト情報、映像タイプまたは画像タイプなどの他のリングバック媒体のカテゴリーに関する「好き」および「嫌い」も特定することができる。ユーザの一般的な「好き」および「嫌い」の入力後、ステップ４０６はステップ４０８に進む。
【００３２】
ステップ４０８において、ユーザが、ステップ４０６で入力した「好き」および「嫌い」の所望の例を入力する。例えば、リングバック・トーン好みプロファイル３０２（図３）に示されているように、ユーザは、好きなロック・ジャンルの具体的な例としてアーティスト＃１および歌＃１を入力する。一般的に好きな、または嫌いなリングバック・トーンのジャンルの所望の具体的な例の入力後、ステップ４０８はステップ４１０に進む。ステップ４１０において、ユーザは、ステップ４０６で入力した「好き」または「嫌い」への所望の例外を入力する。例えば、リングバック・トーン好みプロファイル３０２（図３）に示されているように、ユーザは、一般的に好きなロック・ジャンルへの例外としてアーティスト＃２を入力する。ユーザがステップのすべてで入力するのは必須ではない。ユーザは、ステップ４０８および４１０などのステップに対して入力がない場合、ステップをスキップすることができる。例えば、ユーザが例外の入力を望まないことがあり得る。したがって、ユーザはステップ４１０をスキップできる。一般的に好きな、または嫌いなリングバック・トーンのジャンルへの所望の例外の入力後、ステップ４１０はステップ４１２に進む。
【００３３】
ステップ４１２において、ステップ４０６、４０８、および４１０でユーザによって入力されたリングバック・トーン好み情報を記憶するために、リングバック・トーン好みデータベース１０６にエントリ（すなわち、リングバック・トーン好みプロファイル３０２）が作成される。リングバック・トーン好みデータベース１０６は、以下で説明するように、リングバック・トーン・サービス加入者に後で提示できるようにそのリングバック・トーン好み情報を記憶する。
【００３４】
図１および図５を参照すると、装置１００の動作の１つの例の説明が、説明の目的で示されている。メッセージ・フロー５０２は、リングバック・トーン・サービス加入者への呼び出し時に通信デバイス（例えば、発呼者３１２−５５５−５５５５）のユーザに対して再生されるリングバック・トーン・サービス加入者（例えば、発呼者１２０または１２４）によるリングバック・トーンの選択の例を示している。ロジック５０２は、１つ以上のステップ、例えば、ステップ５０４、５０６、５０８、５１０、５１２、５１４、５１６、５１８、および５２０を使用する。
【００３５】
ステップ５０４において、リングバック・トーン・サービス加入者が、発呼者３１２−５５５−５５５５からリングバック・トーン・サービス加入者への呼び出し時に発呼者３１２−５５５−５５５５に対して再生されるリングバック・トーンを選択するために、プロビジョニング・インターフェース１１０に接続する。例えば、プロビジョニング・インターフェース１１０は、リングバック・トーン・サービス加入者が、発呼者に対して再生されるリングバック・トーンをプロビジョニングするウェブサイト・インターフェースを備えることができる。プロビジョニング・インターフェース１１０に接続後、ステップ５０４はステップ５０６に進む。
【００３６】
ステップ５０６において、リングバック・トーン・サービス加入者が、リングバック・トーン選択プロセスを開始するためにユーザの識別子（例えば、電話番号、ＵＲＩなど）を入力する。例えば、リングバック・トーン・サービス加入者は、発呼者３１２−５５５−５５５５のためのリングバック・トーン選択プロセスを開始するために電話番号３１２−５５５−５５５５を入力する。リングバック・トーン・サービスは、リングバック・トーン・サービス加入者のためにリングバック・トーン選択プロファイル２０２（図２）を維持する。リングバック・トーン・サービス加入者がリングバック・トーン選択プロファイル２０２の新規エントリに電話番号３１２−５５５−５５５５（または他の識別子）を入力すると、管理プラットフォーム１０４が、リングバック・トーン・サービス加入者が発呼者３１２−５５５−５５５５のためのリングバック・トーン選択を行おうとしている旨の表示を受信する。リングバック・トーン選択プロファイル２０２は、図２に示されているように、発呼者３１２−５５５−５５５５のためのリングバック・トーン選択エントリの開始を含む。リングバック・トーン・サービス加入者が発呼者３１２−５５５−５５５５の識別子をプロビジョニング・インターフェースに入力した後、ステップ５０６はステップ５０８に進む。
【００３７】
ステップ５０８において、管理プラットフォーム１０４が、リングバック・トーン好みデータベース１０６が発呼者３１２−５５５−５５５５用のリングバック・トーン好み情報を有しているかを判定する。管理プラットフォーム１０４はリングバック・トーン好みデータベース１０６にアクセスして、発呼者３１２−５５５−５５５５の識別子に関連付けられたエントリがないか検査する。リングバック・トーン好みデータベース１０６が発呼者３１２−５５５−５５５５の識別子用のエントリを有していない場合、ステップ５０８はステップ５１０に進む。
【００３８】
ステップ５１０において、リングバック・トーン・サービス加入者がこのユーザ用のリングバック・トーンを選択する。リングバック・トーン好みデータベース１０６が発呼者３１２−５５５−５５５５用のリングバック・トーン好み情報を有していないので、リングバック・トーン・サービス加入者は、発呼者３１２−５５５−５５５５のリングバック・トーン好み情報の入力の援助なしでリングバック・トーンを選択する。リングバック・トーン・サービス加入者がこのユーザ用のリングバック・トーンを選択後、ステップ５１０はステップ５１２に進む。
【００３９】
ステップ５１２において、リングバック・トーン・サービス加入者のリングバック・トーン選択プロファイル２０２（図２）が発呼者３１２−５５５−５５５５用の新規リングバック・トーン選択を組み込むように更新される。例えば、リングバック・トーン・サービス加入者が発呼者３１２−５５５−５５５５用にリングバック・トーン＃３を選択した場合、発呼者３１２−５５５−５５５５用のエントリのリングバック・トーン選択欄はリングバック・トーン＃３の表示を組み込むように更新される。リングバック・トーン選択が終了した後、発呼者３１２−５５５−５５５５がこのリングバック・トーン・サービス加入者に電話をかけると、リングバック・トーン・サーバ１２８が、一例では、呼のリンギング・フェーズ中、発呼者３１２−５５５−５５５５にリングバック・トーン＃３を再生する。
【００４０】
ステップ５０８において、管理プラットフォーム１０４が、リングバック・トーン好みデータベース１０６が発呼者３１２−５５５−５５５５の識別子用のエントリを有していると判定すると、ステップ５０８はステップ５１４に進む。ステップ５１４において、管理プラットフォーム１０４は、リングバック・トーン好みデータベース１０６にアクセスして、発呼者３１２−５５５−５５５５に関連付けられたリングバック・トーン好み情報を取得する。リングバック・トーン・サービスは、一例では、所与の発呼者識別子についてアクセスされるリングバック・トーン好みデータベース１０６のアドレスを事前にプロビジョニングされたデータベースを有する。このデータベースは、また、リングバック・トーン好みデータベース１０６に連絡するために使用されるメッセージ・プロトコルも事前にプロビジョニングされる。管理プラットフォーム１０４は、一例では、発呼者３１２−５５５−５５５５の識別子を使用して、リングバック・トーン好みデータベース１０６の中を発呼者３１２−５５５−５５５５に関連付けられたリングバック・トーン好み情報がないか探索する。管理プラットフォーム１０４が発呼者３１２−５５５−５５５５に関連付けられたリングバック・トーン好み情報を取得した後、ステップ５１４はステップ５１６に進む。
【００４１】
ステップ５１６において、管理プラットフォーム１０４が、発呼者３１２−５５５−５５５５に関連付けられたリングバック・トーン好み情報をリングバック・トーン・サービス加入者、またはリングバック・トーン・サービス加入者の代理人に提示する。カスタマ・ケア担当者または他の担当者／エンティティがリングバック・トーン・サービス加入者の代理人として活動して、リングバック・トーン・サービス加入者に代わって適切なリングバック・トーン選択を行ってよい。
【００４２】
一例では、管理プラットフォーム１０４は、リングバック・トーン・サービス加入者または代理人が見ることができるコンピュータ画面にリングバック・トーン好み情報を表示する。別の例では、管理プラットフォーム１０４は、リングバック・トーン・サービス加入者または代理人がリングバック・トーン選択を行うために使用するハンドヘルド通信デバイスの表示画面にリングバック・トーン好み情報を表示する。さらに別の例では、管理プラットフォーム１０４は、音声自動応答（「ＩＶＲ」）方式によってリングバック・トーン・サービス加入者または代理人にリングバック・トーン好み情報を提示する。管理プラットフォーム１０４が発呼者３１２−５５５−５５５５用のリングバック・トーン好み情報をリングバック・トーン・サービス加入者または代理人に提示した後、ステップ５１６はステップ５１８に進む。
【００４３】
ステップ５１８において、リングバック・トーン好み情報に合うであろうリングバック・トーンがリングバック・トーン・サービス加入者または代理人に提案される。管理プラットフォーム１０４が、一例では、発呼者３１２−５５５−５５５５用のリングバック・トーン好み情報を分析する。リングバック・トーン・サービス加入者または代理人が発呼者３１２−５５５−５５５５用にリングバック・トーンを選択するのをさらに援助するために、管理プラットフォーム１０４は、発呼者３１２−５５５−５５５５のリングバック・トーンの好みに合うであろう１つ以上の提案されたリングバック・トーンを特定して、提示することができる。管理プラットフォーム１０４が発呼者３１２−５５５−５５５５用のリングバック・トーン好み情報のすべてをリングバック・トーン・サービス加入者または代理人に提供した後、管理プラットフォーム１０４はリングバック・トーン選択を待ち、ステップ５１８はステップ５２０に進む。
【００４４】
ステップ５２０において、リングバック・トーン・サービス加入者または代理人は、管理プラットフォーム１０４から受信したリングバック・トーン好み情報に照らして発呼者３１２−５５５−５５５５用のリングバック・トーンを選択する。リングバック・トーン・サービス加入者が発呼者３１２−５５５−５５５５用のリングバック・トーン好み情報に従えば、発呼者３１２−５５５−５５５５は、おそらく、そのリングバック・トーン・サービス加入者が選択したリングバック・トーンを楽しむことができるだろう。リングバック・トーンを決定した後、リングバック・トーン・サービス加入者または代理人は、管理プラットフォーム１０４にそのリングバック・トーン選択を送信してプロビジョニング・プロセスを完了し、ステップ５２０はステップ５１２に進む。ステップ５１２において、リングバック・トーン選択プロファイルが発呼者３１２−５５５−５５５５用の新規リングバック・トーン選択を組み込むように更新される。例えば、リングバック・トーン・サービス加入者が発呼者３１２−５５５−５５５５用にリングバック・トーン＃４を選択した場合、発呼者３１２−５５５−５５５５用のエントリのリングバック・トーン選択欄はリングバック・トーン＃４の表示を組み込むように更新される。
【００４５】
装置１００は、一例では、電子構成要素、ハードウェア構成要素、およびコンピュータ・ソフトウェア構成要素のうちの１つ以上など、複数の構成要素を備える。多数のそのような構成要素は、装置１００内で結合されていてもよいし、または分割されていてもよい。装置１００の構成要素の１つの例は、当業者には理解されようが、任意の数のプログラミング言語で書かれた、または実現された１組および／または一連のコンピュータ命令を使用し、および／または備える。装置１００は、一例では、任意の方位（例えば、水平、斜めまたは垂直）を有し、本明細書での説明および図面は、説明の目的で、装置１００の１つの例としての方位を示す。
【００４６】
装置１００は、一例では、１つ以上のコンピュータ可読信号伝達媒体を使用する。コンピュータ可読信号伝達媒体は、本発明の１つ以上の実施形態の１つ以上の部分を実行するためのソフトウェア、ファームウェアおよび／またはアセンブリ言語を記憶する。装置１００用のコンピュータ可読信号伝達媒体の例は、管理プラットフォーム１０４の記録可能データ記憶媒体１５０を含む。装置１００用のコンピュータ可読信号伝達媒体は、一例では、磁気、電気、光、生体、および原子のデータ記憶媒体のうちの１つ以上を含む。例えば、コンピュータ可読信号伝達媒体は、フロッピ・ディスク、磁気テープ、ＣＤ−ＲＯＭ、ＤＶＤ−ＲＯＭ、ハード・ディスク・ドライブおよび電子メモリを含む。別の例では、コンピュータ可読信号伝達媒体は、装置１００を備えたネットワークまたは装置１００に結合されたネットワーク、例えば、電話網、ローカル・エリア・ネットワーク（「ＬＡＮ」）、広域ネットワーク（「ＷＡＮ」）、インターネットおよび無線ネットワークのうちの１つ以上などを介して伝送される変調されたキャリア信号を含む。
【００４７】
本明細書で説明したステップまたは操作は、単に例である。本発明の精神から逸脱することなく、これらのステップまたは操作の変形は多数あるだろう。例えば、ステップは異なる順序で実行できるし、またはステップを追加、削除もしくは変更することができる。
【００４８】
本発明の実施態様の例は本明細書で詳細に示され、説明されているが、当業者には、本発明の精神から逸脱することなく、種々の変更、追加、置換などを行えることは明らかであろう。したがって、それらは、特許請求の範囲で定義される、本発明の範囲内にあるものと見なされる。
【図面の簡単な説明】
【００４９】
【図１】１つ以上のインテリジェント・ネットワーク・プラットフォーム、１つ以上の管理プラットフォーム、１つ以上のリングバック・トーン好みデータベース、１つ以上のアクセス・インターフェース、１つ以上のプロビジョニング・インターフェース、１つ以上の移動電話交換センタおよび１つ以上のサービス切り替え点を備えた装置の１つの実施態様の図である。
【図２】リングバック・トーン・サービス加入者のリングバック・トーン選択を記憶するリングバック・トーン選択プロファイルの図である。
【図３】リングバック・トーン・サービス加入者に提示できるように、ユーザによって入力されたリングバック・トーン好み情報を記憶するリングバック・トーン好みプロファイルの図である。
【図４】通信デバイスのユーザとユーザがリングバック・トーン好み情報を入力するためのリングバック・トーン好みデータベースとの間の接続を示すロジックの流れの１つの例を示した図である。
【図５】リングバック・トーン・サービス加入者への呼び出し時に通信デバイスのユーザに対して再生される、リングバック・トーン・サービス加入者によるリングバック・トーンの選択を示すロジックの流れの１つの例を示した図である。
【図１】
2009516425.tif 000003
【図２】
2009516425.tif 000004
【図３】
2009516425.tif 000005
【手続補正書】
【提出日】平成20年7月15日(2008.7.15)
【手続補正１】
【補正対象書類名】図面
【補正対象項目名】全図
【補正方法】変更
【補正の内容】
【図１】
2009516425.tif 000006
【図２】
2009516425.tif 000007
【図３】
2009516425.tif 000008
【図４】
2009516425.tif 000009
【図５】
2009516425.tif 000010
【国際調査報告】
2009516425.tif 000011
2009516425.tif 000012
2009516425.tif 000013